(57)【特許請求の範囲】
【請求項１】
処理槽と、上昇位置と下降位置とを上下動するレールと、前記レールに横移動自在に支持され、プリント基板等の矩形の薄板状製品の上部を掴持して該製品の板面が前記レールの軌道と平行になる懸垂姿勢に吊持する掴持部を有するハンガー治具と、前記ハンガー治具を前記処理槽の製品投入位置へと前記レールに沿って移送するハンガー移送手段とを有し、前記レールの上昇位置において、前記ハンガー移送手段で前記ハンガー治具を前記処理槽の製品投入位置へと移送し、該移送位置で前記レールを下降位置に下降し、この下降位置において、前記ハンガー治具で吊持された薄板状製品を処理槽の処理液中に投入するように構成した薄板状製品の表面処理装置において、
前記製品投入位置に前記レールの昇降動と共に昇降動する製品ガイドを設置し、この製品ガイドには、前記ハンガー治具に吊持されて前記製品投入位置へと移送される薄板状製品の通過を許容する通過間隔を設けて該薄板状製品の両面側をガイドする製品ガイド部を備え、この製品ガイド部の通過間隔の略中心位置に前記掴持部が位置されるように構成し、この製品ガイド部を、製品投入位置へと移送される前記ハンガー治具に吊持された薄板状製品を該製品の搬送方向側の側端部の上部側が該ガイド部の上部側を通過しガイドされた後に、該製品の搬送方向側の側端部の下部側が該ガイド部の下部側を徐々に通過しガイドされるように構成したことを特徴とする表面処理装置における薄板状製品の液中投入ガイド。
【請求項２】
処理槽と、上昇位置と下降位置とを上下動するレールと、前記レールに横移動自在に支持され、複数のプリント基板等の矩形の薄板状製品の上部を各製品の板面が所定間隔を空けて向き合う並列状態に掴持して各製品の板面が前記レールの軌道と平行になる懸垂姿勢に吊持する各掴持部を有するハンガー治具と、前記ハンガー治具を前記処理槽の製品投入位置へと前記レールに沿って移送するハンガー移送手段とを有し、前記レールの上昇位置において、前記ハンガー移送手段で前記ハンガー治具を前記処理槽の製品投入位置へと移送し、該移送位置で前記レールを下降位置に下降し、この下降位置において、前記ハンガー治具で吊持された複数の薄板状製品を処理槽の処理液中に投入するように構成した薄板状製品の表面処理装置において、
前記製品投入位置に前記レールの昇降動と共に昇降動する製品ガイドを設置し、この製品ガイドには、前記ハンガー治具に各製品の板面が所定間隔を空けて向き合う並列状態に吊持されて前記製品投入位置へと移送される複数の各薄板状製品の通過を許容する各通過間隔を設けて各薄板状製品の両面側をガイドする各薄板状製品に対応した製品ガイド部を備え、この各製品ガイド部の通過間隔の略中心位置に対応する前記掴持部が位置されるように構成し、この各製品ガイド部を、製品投入位置へと移送される前記ハンガー治具に吊持された複数の各薄板状製品を該製品の搬送方向側の側端部の上部側が該ガイド部の上部側を通過しガイドされた後に、該製品の搬送方向側の側端部の下部側が該ガイド部の下部側を徐々に通過しガイドされるように構成したことを特徴とする表面処理装置における薄板状製品の液中投入ガイド。
【請求項３】
請求項１又は２に記載の表面処理装置における薄板状製品の液中投入ガイドにおいて、前記製品ガイド部を、移送方向において所定間隔を空けて並べて配設した複数列のガイド部材で構成し、この複数列のガイド部材の各下部側を基点として各上部側を搬送方向の反対側に所定角度傾けた傾斜姿勢に設置し、もって、この製品ガイド部を、製品投入位置へと移送される前記ハンガー治具に吊持された薄板状製品を該製品の搬送方向側の垂直側端部の上部側が該ガイド部の上部側を通過しガイドされた後に、該製品の搬送方向側の垂直側端部の下部側が該ガイド部の下部側を徐々に通過しガイドされるように構成したことを特徴とする表面処理装置における薄板状製品の液中投入ガイド。
【発明の詳細な説明】
【技術分野】
【０００１】
本発明は、ハンガー治具に吊持された薄板状製品を皺や折れの弊害なく処理液中に投入する表面処理装置における製品ガイドであり、特に、投入位置に設置した製品ガイドに薄板状製品を容易に且つスムーズにセットできるようにした液中投入ガイドに関する。
【背景技術】
【０００２】
プリント基板などを表面処理する表面処理装置において、処理槽と、上昇位置と下降位置とを上下動するレールと、前記レールに横移動自在に支持され、プリント基板等の矩形の薄板状製品の上部を掴持して該製品の板面が前記レールの軌道と平行になる懸垂姿勢に吊持する掴持部を有するハンガー治具と、前記ハンガー治具を前記処理槽の製品投入位置へと前記レールに沿って移送するハンガー移送手段とを有し、前記レールの上昇位置において、前記ハンガー移送手段で前記ハンガー治具を前記処理槽の製品投入位置へと移送し、該移送位置で前記レールを下降位置に下降し、この下降位置において、前記ハンガー治具で吊持された薄板状製品を処理槽の処理液中に投入して、製品の洗浄処理などが行なわれる。
【０００３】
係る処理作業において、表面処理される製品が薄くて折り曲げられやすいプリント基板等の薄板状製品の場合、投入位置への空中移送や投入位置での液中投入に際して、空気抵抗や液体抵抗によって、ハンガー治具に製品上部を掴持され吊持された薄板状製品には折れ皺などの傷ができる弊害が生じる。係る弊害を解消するため、投入位置に製品ガイドを設けている。この薄板状製品の製品ガイドは、薄板状製品の両面側をガイドするガイド部間の間隔を狭めて製品の折り曲がりを少なくすることが要求される。
【０００４】
この液中投入製品ガイドとして、本発明者は、特許文献１のガイド装置を提案した。このガイド装置は、薄板状製品の両面側をガイドするガイド部間の間隔を拡縮できるようにし、拡げたガイド部間に薄板状製品を移送した後に、ガイド部間を薄板状製品の両面側へ近づくように縮め、薄板状製品をセットできるようにしたものである。
【０００５】
しかし、特許文献１のガイド装置は、ガイド部間の間隔を拡縮するためのエアーシリンダー等の設備機器を必要とし、簡易な構成ではない。
【０００６】
【特許文献１】特開２００６−２２５６８１号公報
【発明の開示】
【発明が解決しようとする課題】
【０００７】
本発明は、背景技術に述べた実情に鑑み、プリント基板等の薄板状製品の両面側をガイドする液中投入ガイドにおいて、薄板状製品の両面側をガイドするガイド部間の間隔を薄板状製品のガイドに適した比較的狭い間隔に構成した場合においても、この狭いガイド部間に薄板状製品をスムーズに通過させセットできるようにした簡易な構成からなる液中投入ガイドを提供しようとするものである。
【０００８】
また、本発明者は、複数の基板製品を基板面が所定間隔を空けて向き合う並列状態に吊持でき、且つ並列状態に吊持される複数の基板製品をその一側端部がレールに沿う移動方向に向けて吊持できるハンガー治具を開発済みである（特願２００７−１０１８５２）。この開発済みのハンガー治具で複数の基板製品を並列状態に吊持して表面処理を行う場合、背景技術で述べた１枚ものにおける折れ皺などの傷ができる弊害が生じると共に、ハンガー治具に並列状態に吊持された複数の製品同士が接触して互いの基板製品に傷をつける弊害が生じる。本発明は、このハンガー治具で複数の薄板状製品を並列状態に吊持して表面処理を行なう場合において、複数の薄板状製品の各両面側をガイドする各ガイド部間の間隔を各薄板状製品のガイドに適した比較的狭い間隔に構成した場合においても、この狭い各ガイド部間に各薄板状製品をスムーズに通過させセットできるようにした簡易な構成からなる液中投入ガイドを提供しようとするものである。
【課題を解決するための手段】
【０００９】
このような課題を解決するため、本発明に係る表面処理装置における薄板状製品の液中投入ガイドは、処理槽と、上昇位置と下降位置とを上下動するレールと、前記レールに横移動自在に支持され、プリント基板等の矩形の薄板状製品の上部を掴持して該製品の板面が前記レールの軌道と平行になる懸垂姿勢に吊持する掴持部を有するハンガー治具と、前記ハンガー治具を前記処理槽の製品投入位置へと前記レールに沿って移送するハンガー移送手段とを有し、前記レールの上昇位置において、前記ハンガー移送手段で前記ハンガー治具を前記処理槽の製品投入位置へと移送し、該移送位置で前記レールを下降位置に下降し、この下降位置において、前記ハンガー治具で吊持された薄板状製品を処理槽の処理液中に投入するように構成した薄板状製品の表面処理装置において、前記製品投入位置に前記レールの昇降動と共に昇降動する製品ガイドを設置し、この製品ガイドには、前記ハンガー治具に吊持されて前記製品投入位置へと移送される薄板状製品の通過を許容する通過間隔を設けて該薄板状製品の両面側をガイドする製品ガイド部を備え、この製品ガイド部の通過間隔の略中心位置に前記掴持部が位置されるように構成し、この製品ガイド部を、製品投入位置へと移送される前記ハンガー治具に吊持された薄板状製品を該製品の搬送方向側の側端部の上部側が該ガイド部の上部側を通過しガイドされた後に、該製品の搬送方向側の側端部の下部側が該ガイド部の下部側を徐々に通過しガイドされるように構成したことを特徴とするものである。
【００１０】
また、本発明に係る表面処理装置における薄板状製品の液中投入ガイドは、処理槽と、上昇位置と下降位置とを上下動するレールと、前記レールに横移動自在に支持され、複数のプリント基板等の矩形の薄板状製品の上部を各製品の板面が所定間隔を空けて向き合う並列状態に掴持して各製品の板面が前記レールの軌道と平行になる懸垂姿勢に吊持する各掴持部を有するハンガー治具と、前記ハンガー治具を前記処理槽の製品投入位置へと前記レールに沿って移送するハンガー移送手段とを有し、前記レールの上昇位置において、前記ハンガー移送手段で前記ハンガー治具を前記処理槽の製品投入位置へと移送し、該移送位置で前記レールを下降位置に下降し、この下降位置において、前記ハンガー治具で吊持された複数の薄板状製品を処理槽の処理液中に投入するように構成した薄板状製品の表面処理装置において、前記製品投入位置に前記レールの昇降動と共に昇降動する製品ガイドを設置し、この製品ガイドには、前記ハンガー治具に各製品の板面が所定間隔を空けて向き合う並列状態に吊持されて前記製品投入位置へと移送される複数の各薄板状製品の通過を許容する各通過間隔を設けて各薄板状製品の両面側をガイドする各薄板状製品に対応した製品ガイド部を備え、この各製品ガイド部の通過間隔の略中心位置に対応する前記掴持部が位置されるように構成し、この各製品ガイド部を、製品投入位置へと移送される前記ハンガー治具に吊持された複数の各薄板状製品を該製品の搬送方向側の側端部の上部側が該ガイド部の上部側を通過しガイドされた後に、該製品の搬送方向側の側端部の下部側が該ガイド部の下部側を徐々に通過しガイドされるように構成したことを特徴とするものである。
【００１１】
また、本発明に係る表面処理装置における薄板状製品の液中投入ガイドは、前記製品ガイド部を、移送方向において所定間隔を空けて並べて配設した複数列のガイド部材で構成し、この複数列のガイド部材の各下部側を基点として各上部側を搬送方向の反対側に所定角度傾けた傾斜姿勢に設置し、もって、この製品ガイド部を、製品投入位置へと移送される前記ハンガー治具に吊持された薄板状製品を該製品の搬送方向側の垂直側端部の上部側が該ガイド部の上部側を通過しガイドされた後に、該製品の搬送方向側の垂直側端部の下部側が該ガイド部の下部側を徐々に通過しガイドされるように構成したことを特徴とするものである。
【発明の効果】
【００１２】
本発明に係る液中投入ガイドは、ハンガー治具の掴持部で掴持された製品上部は製品ガイド部間の中心に位置しているため、製品投入位置へと移送されるハンガー治具に吊持された薄板状製品の搬送方向側の側端部の上部側を製品ガイド部の上部側のガイド間を通過させ、その後に揺動され易いフリーな製品下部側を徐々に製品ガイド部の下部側のガイド間を通過させるようにした。したがって、本発明に係る液中投入ガイドによれば、薄板状製品の両面側をガイドする製品ガイド部間の間隔を薄板状製品のガイドに適した比較的狭い間隔に構成した場合においても、この狭いガイド部間に薄板状製品をスムーズに通過させセットできる。そして、狭いガイド部間への薄板状製品の通過セット時に該製品に接触傷や折曲げ痕跡がつきにくい。しかも、この液中投入ガイドをシリンダー等の設備機器を要しない簡易な構成で達成できる。
【００１３】
また、本発明に係る液中投入ガイドは、ハンガー治具で複数の薄板状製品を並列状態に吊持して表面処理を行なう場合においても、ハンガー治具の各掴持部で掴持された各製品上部は対応する各製品ガイド部間の中心に位置しているため、製品投入位置へと移送されるハンガー治具に吊持された複数の薄板状製品の搬送方向側の各側端部の上部側を各製品ガイド部の上部側のガイド間を通過させ、その後に揺動され易いフリーな製品下部側を徐々に各製品ガイド部の下部側のガイド間を通過させるようにした。したがって、本発明に係る液中投入ガイドによれば、ハンガー治具で複数の薄板状製品を並列状態に吊持して表面処理を行なう場合において、複数の薄板状製品の各両面側をガイドする各ガイド部間の間隔を各薄板状製品のガイドに適した比較的狭い間隔に構成した場合においても、この狭い各ガイド部間に各薄板状製品をスムーズに通過させセットできると共に、ハンガー治具に並列状態に吊持された複数の製品同士が接触して互いの基板製品に傷をつける弊害も防ぐことができる。そして、狭い各ガイド部間への薄板状製品の通過セット時に該製品に接触傷や折曲げ痕跡がつきにくい。しかも、この液中投入ガイドをシリンダー等の設備機器を要しない簡易な構成で達成できる。
【発明を実施するための最良の形態】
【００１４】
以下、本発明の実施形態について図面を参照しながら説明する。図１及び図２は製品投入位置における製品ガイドの上昇位置と下降位置を示している。
【００１５】
図１及び図２において、符号１は上方を開口された処理槽（この実施例では複数の処理槽を図１の左右に水平方向に並べて配設してある。）を、符号２は前記処理槽１の上方に水平に配置され、その上昇位置と下降位置とを上下動するレールを、符号３は前記レール２に横移動自在に支持され、複数のプリント基板等の矩形の薄板状製品Ｗの上部を各製品の板面が所定間隔を空けて向き合う並列状態に掴持して各製品の板面が前記レール２の軌道と平行になる懸垂姿勢に吊持する掴持部４（図２において、左側から第１掴持部４ａ，第２掴持部４ｂ，第３掴持部４ｃとして構成した。）を有するハンガー治具を、符号５は前記ハンガー治具３を各処理槽１の製品投入位置Ｓへと前記レール２に沿って移送（図１の矢印方向へ）するハンガー移送手段を、それぞれ示している。
【００１６】
前記レール２の上昇位置において、前記ハンガー移送手段５で前記ハンガー治具３を前記処理槽１の製品投入位置Ｓへと移送（図１の矢印方向へ）し、該移送位置で前記レール２を下降位置に下降し、この下降位置において、前記ハンガー治具３で吊持された複数の薄板状製品Ｗを処理槽１の処理液中に投入するように構成している。なお、処理液中で洗浄処理などが行なわれた薄板状製品Ｗは、前記レール２の上昇によって上昇位置へ戻され、この上昇位置でハンガー移送手段５によって前記ハンガー治具３と共に次工程（例えば、次の製品投入位置）へ移送される。
【００１７】
この実施形態では前記ハンガー治具３を、複数列の掴持部４（４ａ，４ｂ，４ｃ）にそれぞれ薄板状製品Ｗを吊持できるように構成した複数の薄板状製品Ｗを吊持できる複数枚用のハンガー治具３を採用した。しかし、１枚の薄板状製品Ｗを吊持するハンガー治具３を用いても良い。
【００１８】
前記ハンガー移送手段５は、上昇位置にある水平に配置された前記レール２の上部に該レール２と平行に配設された作動杆６と該作動杆６に製品投入位置の間隔ごと設けた押送体７とを有し、前記作動杆６を図１の左右方向に往復移動させて、前記押送体７を図１の左右方向に往復移動させるように構成してある。この押送体７は、図１の左方向への移動においては、前記レールに支持されたハンガー治具３の上部に形成した係止突起８に係止されこのハンガー治具３を各処理槽１の製品投入位置へと移送し、図１の右方向への移動においては、前記係止突起８に係止されないように構成してある。
【００１９】
前記製品投入位置Ｓに前記レール２の昇降動と共に昇降動する製品ガイド１０を設置し、この製品ガイド１０には、前記ハンガー治具３の複数列の掴持部４（４ａ，４ｂ，４ｃ）に各製品の板面が所定間隔を空けて向き合う並列状態に吊持されて前記製品投入位置へと移送される複数の各薄板状製品Ｗの通過を許容する各通過間隔を設けて各薄板状製品の両面側をガイドするプラスチック製の製品ガイド部１１（図２において、左側から第１掴持部４ａに対応する第１製品ガイド部１１ａ，第２掴持部４ｂに対応する第２製品ガイド部１１ｂ，第３掴持部４ｃに対応する第３製品ガイド部１１ｃとして構成した。）を備えている。図２に示すように、各製品ガイド部１１（第１製品ガイド部１１ａ，第２製品ガイド部１１ｂ，第３製品ガイド部１１ｃ）の通過間隔の略中心位置に対応する各掴持部４（第１掴持部４ａ，第２掴持部４ｂ，第３掴持部４ｃ）が位置されるように構成し、そして、各製品ガイド部１１（第１製品ガイド部１１ａ，第２製品ガイド部１１ｂ，第３製品ガイド部１１ｃ）の上端部は、対応する各掴持部４（第１掴持部４ａ，第２掴持部４ｂ，第３掴持部４ｃ）の下部近くに位置させてある。
【００２０】
そして、この実施形態においては、前記製品ガイド部１１を、移送方向において所定間隔を空けて並べて配設した複数列（図の実施例では５列）のガイド部材１２で構成し、この複数列のガイド部材１２を移送方向から視て第１〜第３掴持部４ａ，４ｂ，４ｃに対応する略Ｕ字形状のガイド部材１２の上下部範囲における対向部分にて各製品ガイド部１１（第１製品ガイド部１１ａ，第２製品ガイド部１１ｂ，第３製品ガイド部１１ｃ）を構成し、この製品ガイド部１１（各ガイド部材１２）の下部側を基点として上部側を搬送方向の反対側に所定角度傾けた傾斜姿勢に設置し、もって、この製品ガイド部１１を、製品投入位置へと移送される前記ハンガー治具３に吊持された複数の各薄板状製品Ｗを該製品の搬送方向側の垂直側端部の上部側が該ガイド部の上部側を通過しガイドされた後に、該製品の搬送方向側の垂直側端部の下部側が該ガイド部の下部側を徐々に通過しガイドされるように構成した。
【００２１】
第１〜第３掴持部４ａ，４ｂ，４ｃに対応する略Ｕ字形状のガイド部材１２における隣接部は１本のガイド材を共用し、第３製品ガイド部１１ｃを構成する略Ｕ字形状のガイド部材１２における外側のガイド材はガイド支持部材１３を共用している。このガイド支持部材１３の上端部はレール２側に固定され、このガイド支持部材１３の下端部には前記ガイド部材の下部側を連結する連結部材１４を設けてある。
【００２２】
移送方向において所定間隔を空けて並べて配設した複数列のガイド部材１２間には、間隔補強部材１５を取付け、複数列のガイド部材１２間の間隔を保持している。
【００２３】
図示した実施形態の液中投入ガイドによれば、製品投入位置Ｓへと移送されるハンガー治具３に吊持された複数の薄板状製品Ｗの搬送方向側の垂直側端部は、下部側を基点として上部側を搬送方向の反対側に所定角度傾けた傾斜姿勢に設置した各製品ガイド部１１によって、図３で説明的に示した如く、ハンガー治具３の掴持部４で製品ガイド部１１間の中心位置に掴持された製品上部側から揺動され折り曲げられ易いフリーな製品下部側へガイドされることになり、製品投入位置Ｓに設置された製品ガイド１０に薄板状製品Ｗをスムーズにセットできる。
【図面の簡単な説明】
【００２４】
【図１】本発明の正面図である。
【図２】本発明の側面図である。
【図３】セット状態を説明的に示した本発明の側面図である。
【符号の説明】
【００２５】
Ｗ  製品（薄板状製品）
Ｓ  製品投入位置
１  処理槽
２  レール
３  ハンガー治具
４  掴持部
４ａ  第１掴持部
４ｂ  第２掴持部
４ｃ  第３掴持部
５  ハンガー移送手段
１０  製品ガイド
１１  製品ガイド部
１１ａ  第１製品ガイド部
１１ｂ  第２製品ガイド部
１１ｃ  第３製品ガイド部
１２  ガイド部材
１３  ガイド支持部材
【図１】
0004598037.tif 000002
【図２】
0004598037.tif 000003
【図３】
0004598037.tif 000004